(57)【要約】【課題】低コストで暑熱環境緩和効果を効率的に奏することができるブラインドを提供する。【解決手段】太陽光線や視線を遮断するブラインド１００は、並置された複数のスラットを備える。各スラットは、水を吸収する吸水性を有し、具体的には、水を鉛直方向上方へ揚水する揚水性を有する揚水材、及び水を保持する保水性を有する保水材の少なくとも一方から構成される。【選択図】図２
2008208563.tif 000002
【特許請求の範囲】
【請求項１】
所定方向からの光線を少なくとも部分的に遮断可能なブラインドであって、
水を吸収する吸水性を有する少なくとも１枚の板状部材を備えることを特徴とするブラインド。
【請求項２】
前記板状部材はその長手方向が鉛直方向と実質的に平行となるように配置されていることを特徴とする請求項１記載のブラインド。
【請求項３】
水を貯蓄する貯水部を備え、前記吸水性を有する板状部材は、水を鉛直方向上方へ揚水する揚水性を有する揚水材から構成され、当該揚水材は前記貯水部に貯蓄された水を揚水することを特徴とする請求項２記載のブラインド。
【請求項４】
前記吸水性を有する板状部材は、水を保持する保水性を有する保水材をさらに含むように構成されており、当該保水材は、前記揚水材に当接するように配置されており、当該揚水材が揚水した水を保持することを特徴とする請求項３記載のブラインド。
【請求項５】
前記板状部材に水を供給する給水部を備え、前記吸水性を有する板状部材は、水を保持する保水性を有する保水材から構成され、当該保水材は前記給水部から供給された水を保持することを特徴とする請求項２記載のブラインド。
【請求項６】
前記保水材は、前記給水部から供給された水を流入可能にする中空部が形成されていることを特徴とする請求項５記載のブラインド。
【請求項７】
前記板状部材はその長手方向が水平方向と実質的に平行となるように配置されていることを特徴とする請求項１記載のブラインド。
【請求項８】
前記板状部材に水を供給する給水部を備え、前記板状部材は、前記給水部から供給された水を流入可能にする中空部が形成されていることを特徴とする請求項７記載のブラインド。
【請求項９】
前記板状部材に水を供給する給水部を備え、前記吸水性を有する板状部材は、水を拡散させる導水材から構成され、当該導水材は前記給水部から供給された水を前記長手方向に拡散することを特徴とする請求項７記載のブラインド。
【請求項１０】
前記吸水性を有する板状部材は、水を保持する保水性を有する保水材をさらに含むように構成されており、前記導水材は、前記保水材に当接するように配置されており、当該導水材が拡散した水を保持することを特徴とする請求項９記載のブラインド。
【請求項１１】
前記長手方向に沿って配置された非吸水材をさらに備え、当該非吸水材は前記板状部材の下面に当接することを特徴とする請求項７乃至１０のいずれか１項に記載のブラインド。
【請求項１２】
通風可能な開口部を規定する部材において当該開口部の内部又はその前方に配置されることを特徴とする請求項１乃至１１のいずれか１項に記載のブラインド。
【請求項１３】
前記板状部材の長手方向を軸として当該板状部材を回転可能に支持する支持部材を備えることを特徴とする請求項１乃至請求項１２のいずれか１項に記載のブラインド。
【発明の詳細な説明】
【技術分野】
【０００１】
本発明は、ブラインドに関し、特に、所定方向からの光線を少なくとも部分的に遮断可能なブラインドに関する。
【背景技術】
【０００２】
建物などの窓部の屋外側に配設されるブラインドは、例えば図１５に示すように、水平方向に沿って並置された板状部材から成る複数のスラット（slat）を備える。これにより、屋内へ入射する太陽光線を遮断したり、屋外から屋内への視線又は屋内から屋外への視線を遮断したりすることができる。
【０００３】
また、図１５に示すブラインド５００は、チューブ状の導水管で構成された給水部５２０と、断面コ字形をなす集水部５３０と、集水部５３０及び給水部５２０を接続するポンプ５４０とを備える（例えば、特許文献１参照。）。
【０００４】
給水部５２０の内部には、所定の水源（図示せず）から供給された水が通過する通水孔が形成されており、この導水管の下部には、通水孔に連通する多数のノズル（散水孔）が形成されている。集水部５３０の上部には、スラット５１０の長手方向の長さに対応する開口部が形成されている。
【０００５】
このブラインド５００では、図１５に示すように、スラット５１０の鉛直方向上方に配置された給水部５２０のノズルを介して散水が行われる。この散水によりスラット５１０の表面に水が供給される。したがって、給水部５２０に形成すべきノズルの数は、通常、散水時に全てのスラット５１０の全表面に水が配分される程度に設定される。ここで、特許文献１記載の技術では、超親水性を有する二酸化チタン（ＴｉＯ2）などの光触媒をスラット５１０の表面にコーティングすることにより、散水性を向上させている。
【０００６】
このようにして散水を行うことにより、太陽光線によってスラット５１０が高温になるのを防止することができるだけでなく、スラット５１０間の間隙を通過した空気、即ち風は、スラット５１０の表面の水分の水温や該水分の蒸発による気化熱により冷却される。したがって、ブラインド５００は、屋外から屋内へ流入する高温の空気などの暑熱環境を緩和することができる（暑熱環境緩和効果）。
【０００７】
また、給水部５２０が供給した散水時の水は、スラット５２０の鉛直方向下方に配置された集水部５３０に貯蓄され、集水部５３０に貯蓄された水は、集水部５３０に接続されたポンプ５４０により給水部５２０に供給される。これにより、散水時の水が循環されて再供給されるので、水源から給水部５２０に供給すべき水の供給量を低減させることができる。
【特許文献１】特開２００４−３６０２９２号公報（請求項３，段落００２８〜００３４）
【発明の開示】
【発明が解決しようとする課題】
【０００８】
しかしながら、上記ブラインド５００において、給水部５２０のノズルを介して散布された水は、その流下する方向がスラット５１０の表面上で変化したり、強風によりスラット５１０の表面以外の場所に流下したりする。このため、ブラインド５００の下部に配置されたスラット５１０の全表面に水を供給することは困難である。換言すれば、ブラインド５００が複数のスラット５１０を備えているために、スラット５１０の全表面に対する散水の均一性を維持することが困難である。結果として、上記ブラインド５００では、暑熱環境緩和効果を十分に奏することができない。
【０００９】
また、スラット５１０の全表面に光触媒による超親水性を付与した場合には、スラット５１０の全表面に対する散水の均一性が向上するものの、一方で、スラット５１０の表面における水の保水性が低下する。保水性の低下により、水はスラット５１０の表面で保持されずに流下しやすくなるので、スラット５１０の表面に十分な量の水を常時供給するためには、大量の水を使用する必要がある。また、スラット５１０の表面を光触媒でコーティングするのは、コストがかかる。
【００１０】
また、上記ブラインド５００では、散水時の水を再供給することにより水源からの水の供給量を低減させることができるが、集水部５３０で貯蓄した水をスラット５１０の上方に配置された給水部５２０に再供給するためにはポンプ５４０を配設する必要がある。このため、ポンプ５４０の分だけコストが高い。
【００１１】
本発明は、上述したような従来の問題に鑑みなされたものであって、その目的は、低コストで暑熱環境緩和効果を効率的に奏することができるブラインドを提供することにある。
【課題を解決するための手段】
【００１２】
上記目的を達成するために、本発明の請求項１記載のブラインドは、所定方向からの光線を少なくとも部分的に遮断可能なブラインドであって、水を吸収する吸水性を有する少なくとも１枚の板状部材を備えることを特徴とする。
請求項１記載のブラインドによれば、板状部材が効率的に吸水するので、少なくともその表面に湿潤性を付与することができる。
【００１３】
請求項２記載のブラインドは、請求項１記載のブラインドにおいて、前記板状部材はその長手方向が鉛直方向と実質的に平行となるように配置されていることを特徴とする。
請求項２記載のブラインドによれば、板状部材は、雨水などの流下する水を効率的に吸収することができる。
【００１４】
請求項３記載のブラインドは、請求項２記載のブラインドにおいて、水を貯蓄する貯水部を備え、前記吸水性を有する板状部材は、水を鉛直方向上方へ揚水する揚水性を有する揚水材から構成され、当該揚水材は前記貯水部に貯蓄された水を揚水することを特徴とする。
請求項３記載のブラインドによれば、板状部材は下方の水を効率的に吸収することができる。
【００１５】
請求項４記載のブラインドは、請求項３記載のブラインドにおいて、前記吸水性を有する板状部材は、水を保持する保水性を有する保水材をさらに含むように構成されており、当該保水材は、前記揚水材に当接するように配置されており、当該揚水材が揚水した水を保持することを特徴とする。
請求項４記載のブラインドによれば、板状部材は下方から吸収した水を長い時間に亘って保持することができる。
【００１６】
請求項５記載のブラインドは、請求項２記載のブラインドにおいて、前記板状部材に水を供給する給水部を備え、前記吸水性を有する板状部材は、水を保持する保水性を有する保水材から構成され、当該保水材は前記給水部から供給された水を保持することを特徴とする。
請求項５記載のブラインドによれば、板状部材は給水部からの水を効率的に保持することができるので、給水部からの水の供給量を削減することができる。
【００１７】
請求項６記載のブラインドは、請求項５記載のブラインドにおいて、前記保水材は、前記給水部から供給された水を流入可能にする中空部が形成されていることを特徴とする。
請求項６記載のブラインドによれば、中空部に水が充満することにより、板状部材は内面及び外面の双方から水を吸収することができる。
【００１８】
請求項７記載のブラインドは、請求項１記載のブラインドにおいて、前記板状部材はその長手方向が水平方向と実質的に平行となるように配置されていることを特徴とする。
請求項７記載のブラインドによれば、太陽光線などの上方からの光線の遮断を効率的に行うことができる。
【００１９】
請求項８記載のブラインドは、請求項７記載のブラインドにおいて、前記板状部材に水を供給する給水部を備え、前記板状部材は、前記給水部から供給された水を流入可能にする中空部が形成されていることを特徴とする。
請求項８記載のブラインドによれば、板状部材は、雨水などに曝されることにより外面から水を吸収することができ、一方、中空部に水が充満することにより内面から水を吸収することができる。
【００２０】
請求項９記載のブラインドは、請求項７記載のブラインドにおいて、前記板状部材に水を供給する給水部を備え、前記吸水性を有する板状部材は、水を拡散させる導水材から構成され、当該導水材は前記給水部から供給された水を前記長手方向に拡散することを特徴とする。
請求項９記載のブラインドによれば、板状部材は給水部からの水を効率的にその長手方向に拡散させることができるので、給水部からの水の供給量を削減することができる。
【００２１】
請求項１０記載のブラインドは、請求項９記載のブラインドにおいて、前記吸水性を有する板状部材は、水を保持する保水性を有する保水材をさらに含むように構成されており、前記導水材は、前記保水材に当接するように配置されており、当該導水材が拡散した水を保持することを特徴とする。
請求項１０記載のブラインドによれば、板状部材は導水材が拡散した水を保水材により長い時間に亘って保持することができる。
【００２２】
請求項１１記載のブラインドは、請求項７乃至１０のいずれか１項に記載のブラインドにおいて、前記長手方向に沿って配置された非吸水材をさらに備え、当該非吸水材は前記板状部材の下面に当接することを特徴とする。
請求項１１記載のブラインドによれば、雨水などの流下する水が非吸収材の上面に保持され、板状部材により吸収されるので、水の使用量を削減することができる。
【００２３】
請求項１２記載のブラインドは、請求項１乃至１１のいずれか１項に記載のブラインドにおいて、通風可能な開口部を規定する部材において当該開口部の内部又はその前方に配置されることを特徴とする。
請求項１２記載のブラインドによれば、板状部材の表面に付与されている湿潤性により変化した環境、即ち暑熱環境緩和効果が通風方向下流の空間に付与される。
【００２４】
請求項１３記載のブラインドは、請求項１乃至請求項１２のいずれか１項に記載のブラインドにおいて、前記板状部材の長手方向を軸として当該板状部材を回転可能に支持する支持部材を備えることを特徴とする。
請求項１３記載のブラインドによれば、板状部材を回転させることにより光線や通気を遮断する程度を変化させることができる。
【発明の効果】
【００２５】
本発明のブラインドによれば、板状部材の吸水性によりその表面に湿潤性が効率的に付与されるので、周囲の暑熱環境を緩和する暑熱環境緩和効果を低コストで奏することができる。
【発明を実施するための最良の形態】
【００２６】
以下、本発明の実施の形態について図面を参照しつつ説明する。
図１は、本発明の第１の実施の形態に係るブラインドが配設された建物の構成を概略的に示す正面図である。
【００２７】
図１に示す建物１は、当該建物１の内部（屋内）に入射する太陽光線を遮断すべく配置された外壁１０を備える。また、建物１は、例えば、庭園に設置された東屋又は公園に設置された洗面所であり、したがって、外壁１０は、視線を遮断する目隠し壁としても機能する。
【００２８】
外壁１０の中央部には、屋内と屋外との間での空気の循環、即ち通気を確保するための開口部を形成する枠体１１が配置されている。本実施の形態では、枠体１１に、太陽光線や所定方向からの視線などの光線を少なくとも部分的に遮断可能なブラインド１００が内嵌されている。したがって、ブラインド１００も外壁１０の一部をなす。
【００２９】
なお、図１において、枠体１１をサッシとして窓ガラスを構成した場合、ブラインド１００は、例えば、建物１の屋外側であって窓ガラスの前方に配置される。
【００３０】
図２は、図１におけるブラインド１００の外観を示す斜視図である。また、図３は、図２における線III−IIIに沿う断面図である。
【００３１】
図２に示すように、ブラインド１００は、鉛直方向に並置された複数の、例えば１２本のスラット１１０を備える縦型ブラインドであって、さらに、該スラット１１０の下方に配置された貯水部１２０を備える。
【００３２】
貯水部１２０の長手方向の長さは、図１における枠体１１の水平方向の長さに一致する。また、図３に示すように、貯水部１２０の断面形状は略コ字形である。したがって、貯水部１２０の上部には内面１２１で画成された開口部が形成されており、この開口部には、図２及び図３に示すように水が貯蓄可能である。このため、貯水部１２０の内面１２１は、貯蓄されている水を吸収しないように非吸水性を有することが好ましい。なお、貯水部１２０に貯蓄される水は、上方から流下してきた水であればいかなるものであってもよく、例えば雨水であってもよい。
【００３３】
なお、ブラインド１００は、さらに、貯水部１２０に水を補給する給水部（不図示）を備えてもよい。例えば給水部は水道などから構成される。これにより、貯水部１２０に貯蓄されている水が不足するのを確実に防止することができる。
【００３４】
各スラット１１０は、中実の単一材料から成る板状部材で構成され、その長手方向が鉛直方向と実質的に平行である。また、スラット１１０の底部は、図２及び図３に示すように貯水部１２０に貯蓄された水に接触するように配置される。
【００３５】
また、スラット１１０は、その長手方向を軸として、不図示の支持部材によって回転可能に支持されている。スラット１１０を回転させると、スラット１１０は、上記通気を確保するための開放位置、又は上記光線を実質的に完全に遮断するための遮断位置に位置する。ここで、互いに隣接する一対のスラット１１０，１１０の双方が遮断位置にある場合には、それらの間に間隙が形成されることがない。一方、スラット１１０が開放位置にあるときには、スラット１１０の回転角度に応じて、隣接するスラット１１０との間に間隙が形成され、これにより、通気が確保される。したがって、スラット１１０は、その回転角度に応じて通気の風向きを調整又は規制する風向規制板としても機能する。なお、スラット１１０の回転角度を所定の部材により規制してもよく、これにより、スラット１１０が自由に回転するのを防止することができる。
【００３６】
次に、スラット１１０を構成する材料について説明する。
スラット１１０は、水を吸収する吸水性を有し、本実施の形態では、鉛直方向上方に水を揚水する揚水性を有する揚水材から成る。したがって、図３に示すスラット１１０は、貯水部１２０に貯蓄されている水を揚水することにより、スラット１１０の表面に湿潤性が付与される。また、スラット１１０の長手方向が鉛直方向と実質的に平行となるように配置されているので、雨水などの流下する水を効率的に吸収することができる。
【００３７】
スラット１１０を構成する揚水材としては、多数の微細な孔（毛管）が形成された多孔質材料を用いることが好ましい。このような多孔質材料としては、例えば、株式会社栗本鐵工所製のバイオボード（登録商標）がある。バイオボード（登録商標）は、約３０質量％のシリカ（ＳｉＯ2）と、約３０質量％のアルミナ（Ａｌ2Ｏ3）と、約３０質量％の酸化カルシウム（ＣａＯ）とを含むセラミック材料であり、例えば、かさ比重が０．３２〜０．４の範囲内であり、且つ水の保水率が２５％である。なお、保水率とは、多孔質材料の全体積に対する当該多孔質材料が吸収・保水可能な水の最大量（体積）の割合、即ち体積比を示す。
【００３８】
また、スラット１１０を構成する揚水材としては、不織布、織布、及び細管から選択された１種類以上の材料を用いることもできる。
【００３９】
ここで、不織布としては、例えば、市販されている吸水テープなどの吸水材や吸湿材を用いることができる。細管としては、ビニル（plastic）製のものや、セラミックチューブを用いることができる。セラミックチューブとしては、アルミナを主成分とする多孔質材料をチューブ状に成形したもの（例えば、株式会社ニッカトーの商品番号「ＳＳＡ−Ｓ」）を挙げることができる。このような細管は、外径が小さいものを複数用いてもよく、これにより、スラット１１０の保水性を向上させることができる。
【００４０】
不織布、織布、及び細管から選択された１種類以上の材料を揚水材として用いた場合、例えばパンチングメタル（perforated metal）などの金網で構成された補強材で揚水材を包囲することが好ましい。これにより、スラット１１０の強度を向上させることができる。また、補強剤として金網を用いているので、スラット１１０の表面に付与した湿潤性の低下を抑制することができる。
【００４１】
図４は、図２におけるスラット１１０の変形例を示す部分斜視図である。
図４に示すスラット１１０ａは、図２及び図３のスラット１１０に代えて使用されるものであるが、スラット１１０と同様に、水を吸収する吸水性を有する。
【００４２】
このスラット１１０ａは、水を保持する保水性を有する保水材１１１と、鉛直方向上方に水を揚水する揚水性を有する揚水材１１２とから構成されている。ここで、保水材１１１の保水性は揚水材１１２の保水性よりも高い。これにより、保水材１１１は揚水材１１２よりも長い時間に亘って水を保持することが可能である。また、スラット１１０ａは、揚水材１１２を含むので、下方の水、即ち貯水部１２０に貯蓄された水を効率的に吸収することができる。
【００４３】
保水材１１１は、図４に示すように、中空部を有するように成形されており、保水材１１１の内面と揚水材１１２の外面とが長手方向にわたって互いに接触している。したがって、スラット１１０ａにおいて、揚水材１１２が揚水した水を保水材１１１で保持することにより、保水材１１１の表面即ちスラット１１０の表面に湿潤性が付与される。
【００４４】
保水材１１１としては、中空のチューブ状に成形したセラミック材料、例えば素焼きの土管を用いることができる。このような素焼きの土管は、多孔質であるため、高い保水性を有する。素焼きの土管としては、外側表面に多数の溝（ストライプ）が長手方向に沿って形成されたストライプ土管（古川製陶有限会社製）を用いることが好ましい。このように、保水材１１１の外側表面にストライプを形成することにより、湿潤性が付与されるスラット１１０ａの外側表面の面積を拡大させることができる。
【００４５】
揚水材１１２は、保水材１１１の中空部に充填される。揚水材１１２としては、シリカ（ＳｉＯ2）を主成分とするケイ砂などの砂を用いることが好ましい。より好ましくは、スラット１１０ａの長手方向の長さが長いほど小さい平均粒径及び透水係数の砂を選択的に用いる。また、ケイ砂に代えて、不織布、織布、細管、及び砂から選択された材料を揚水材１１２として用いてもよい。さらには、不織布、織布、細管、及び砂から選択された２種類以上の材料を任意の割合で混合したものを揚水材１１２として用いてもよい。
【００４６】
なお、本変形例では、保水材１１１の内面と揚水材１１２の外面とを互いに接触させるために、保水材１１１の中空部に揚水材１１２を充填したが、これに代えて、揚水材１１２の外面を保水材１１１が包囲してもよい。すなわち、揚水材１１２が揚水した水を保水材１１１が保持することができるように、揚水材１１２が保水材１１１に当接していればよい。
【００４７】
以上詳細に説明したように、第１の実施の形態及びその変形例によれば、ブラインドが備えるスラットは吸水性を有する。したがって、スラットが水を効率的に吸収することにより、スラットの少なくともその表面に湿潤性が付与される。その結果、周囲の暑熱環境を緩和する暑熱環境緩和効果を低コストで奏することができる。
【００４８】
また、ブラインドが縦型ブラインドであるので、スラットが雨水などの流下する水を吸収する場合にも流下する水の流下方向が変化しにくい。さらには、スラットの揚水材は、スラットの表面に湿潤性を付与するために必要最小限度の水を貯水部１２０に貯蓄された水から揚水するだけでよい。したがって、スラットは、その全表面において効率的に水を吸収することができるように構成されているので、水の使用量を大幅に削減することができる。
【００４９】
また、揚水材が自動的に揚水するので、ポンプなどを配設する必要がなく、コストを大幅に削減することができる。ユーザにとっては、貯水部１２０内の水が少なくなったときに補水するだけでよいので、ユーザの手間を大幅に削減することができる。また、この補水を自動給水により行うことで、ユーザの手間をなくしてもよい。
【００５０】
次に、本発明の第２の実施の形態を説明する。
本実施の形態に係るブラインドも図１におけるブラインド１００と同様に、図１の建物１などに配設される。
【００５１】
図５は、第２の実施の形態に係るブラインドの外観を概略的に示す斜視図である。また、図６は、図５における線VI−VIに沿う断面図である。
【００５２】
図５に示すように、ブラインド２００は、鉛直方向に並置された複数の、例えば１２本のスラット２１０を備える縦型ブラインドであって、さらに、該スラット２１０の上方に配置された給水部２２０と、給水部２２０に接続する水源２５０とを備える。
【００５３】
水源２５０は、建物１又はその近傍に設けられた貯水槽や建物１に設けられた雨樋などであり、給水部２２０に水を供給する。
【００５４】
給水部２２０の長手方向の長さは、図１における枠体１１の水平方向の長さに一致する。また、図６に示すように、給水部２２０には、その内面２２１によって画成される通水孔と、当該通水孔に連通するノズルとが形成されている。ノズルは、給水部２２０の下部においてスラット２１０の上面に対面する位置に形成されており、孔面２２２によって画成される。
【００５５】
図５において、水源２５０から供給された水は、給水部２２０の通水孔を通過しており、該通水孔を通過する水の一部は、給水部２２０のノズルを介してスラット２１０へ向かって散布される。
【００５６】
各スラット２１０は、中実の単一材料から成る板状部材で構成され、その長手方向が鉛直方向と実質的に平行となるように配置されている。
【００５７】
また、スラット２１０は、その長手方向を軸として、不図示の支持部材によって回転可能に支持されている。スラット２１０を回転させると、スラット２１０は、上記通気を確保するための開放位置、又は上記光線を実質的に完全に遮断するための遮断位置に位置する。ここで、互いに隣接する一対のスラット２１０，２１０の双方が遮断位置にある場合には、それらの間に間隙が形成されることがない。一方、スラット２１０が開放位置にあるときには、スラット２１０の回転角度に応じて、隣接するスラット２１０との間に間隙が形成され、これにより、通気が確保される。したがって、スラット２１０は、その回転角度に応じて通気の風向きを調整又は規制する風向規制板としても機能する。なお、スラット２１０の回転角度を所定の部材により規制してもよく、これにより、スラット２１０が自由に回転するのを防止することができる。
【００５８】
なお、ブラインド２００において、さらに、水を貯蓄する貯水部（不図示）がスラット２１０の下方に配設されてもよい。この貯水部は、例えば図２における貯水部１２０と同様に構成される。より好ましくは、ブラインド２００は、貯水部に貯蓄した水を給水部２２０に再供給する。これにより、上方から流下してきた水、例えば余剰水や雨水の効率的な活用を図ることができる。
【００５９】
次に、スラット２１０を構成する材料について説明する。
スラット２１０は、水を吸収する吸水性を有し、本実施の形態では、水を保持する保水性を有する保水材から成る。したがって、図５及び図６に示すスラット２１０は、給水部２２０から供給された水を効率的に保持することにより、スラット２１０の表面に湿潤性が付与される。また、スラット２１０の長手方向が鉛直方向と実質的に平行となるように配置されているので、雨水などの流下する水を効率的に吸収することができる。これらにより、給水部２２０からの水の供給量を大幅に削減することができる。
【００６０】
スラット２１０を構成する保水材としては、多数の微細な孔（毛管）が形成された多孔質材料を用いることが好ましい。より好ましくは、この保水材は、上述した第１の実施の形態に使用される多孔質材料よりも高い浸水性（透水性）即ち低い保水率を有することが好ましい。これにより、スラット２１０は、鉛直方向上方から供給された水を内部において鉛直方向下方へ浸透させることができ、スラット２１０の下部表面の湿潤性を向上させることができる。
【００６１】
このような多孔質材料としては、例えば、株式会社ストーンワークス製のシラスブロック（商品名）がある。このシラスブロックは、シラスを主成分とした加圧成形品であって、他の成分として水硬化性セメントを含むセラミック材料である。上記シラスは、火砕流堆積物（火山灰）の一種であって、例えば、シリカ成分を７０質量％、及びアルミナ成分を１４質量％の割合で含有している。
【００６２】
上記シラスブロックは、高い浸水性と保水性を有することが知られている。具体的には、成分であるシラスや水硬化性セメントの含有率によって異なるが、シラスブロックは、かさ比重が０．６〜２．２の範囲内であり、吸水率が２０〜８０％の範囲内であり、且つ保水率が２〜２０％の範囲内である。
【００６３】
図７は、図５のブラインド２００の変形例を示す断面図である。
図７に示すブラインド２００ａは、図５のブラインド２００のスラット２１０に代えて使用されるスラット２１０ａを含む点を除いて、図５のブラインド２００と同様に構成されている。このため、図５の構成要素と同一の構成要素には同一の符号を付し、それらの説明を省略する。
【００６４】
スラット２１０ａは、例えば図５のブラインド２００のスラット２１０と同一の材料で構成されるが、スラット２１０ａは、図７に示すように、内面２１１によって画成された中空部２１５を有する点が異なる。
【００６５】
この中空部２１５は、給水部２２０の孔面２２２に向かって開口している。したがって、給水部２２０から供給された水は、スラット２１０ａの中空部２１５に向かって直接的に流入し、やがて、中空部２１５全体に水が充満する。したがって、本実施の形態では、中空部２１５に充満した水は、スラット２１０ａの内面２１１から吸水性により吸収され、さらにスラット２１０ａの浸水性によりスラット２１０ａの内部を浸透することにより、スラット２１０の表面に湿潤性が付与される。
【００６６】
また、中空部２１５に水が充満した後、給水部２２０から供給された水は、中空部２１５を循環して間接的に又は直接的にスラット２１０ａの外側表面を伝わって流下し、この水は、スラット２１０ａの外側表面から吸水性により吸収される。これにより、スラット２１０ａの外側表面への湿潤性の付与を確実に行うことができる。したがって、スラット２１０ａは、中空部２１５に水が充満した後には、内面及び外面の双方から水を効率的に吸収することができる。このため、中空部２１５に水が充満した後には、給水部２２０からの水の供給量を最小限度に制限することが好ましい。これにより、水の使用量を大幅に削減することができる。
【００６７】
スラット２１０ａを構成する保水材としては、上述したスラット２１０と同様に、多数の微細な孔（毛管）が形成された多孔質材料を用いることが好ましい。
【００６８】
このような多孔質材料としては、中空のチューブ状に成形したセラミック材料、例えば素焼きの土管であって、下端の開口を封止したものを用いることができる。このような素焼きの土管は、多孔質であるため、高い保水性を有する。素焼きの土管としては、外側表面に多数の溝（ストライプ）が長手方向に沿って形成されたストライプ土管（古川製陶有限会社製）を用いることが好ましい。ストライプを形成することにより、湿潤性が付与されるスラット２１０ａの外側表面の面積を拡大させることができる。
【００６９】
また、多孔質材料として、上述した株式会社ニッカトー製のセラミックチューブ、透水性のゴムをチューブ状に成形したもの、又は透水性のプラスチックをチューブ状に成形したものを用いてもよい。透水性のゴムとしては、例えばシヤチハタ株式会社製の刻印装置に用いられている耐油性ゴムを用いることが好ましい。
【００７０】
なお、スラット２１０ａは、チューブ状に成形したものに、同一材料で成形した蓋で下端の開口を覆うか、又は下端から内孔用の保護管（挿入筒）を挿入することにより製造されることが好ましい。これにより、スラット２１０ａを容易に製造することができる。これに代えて、金型を用いた圧縮成形などの方法により直接的に製造してもよく、この場合には、蓋又は保護管を製造する手間を省略することができる。
【００７１】
なお、本変形例において、スラット２１０ａの中空部２１５の下部に対して、少なくとも底面２１２の浸水性を抑制するための処理、例えば撥水処理を施してもよい。これにより、中空部２１５全体に水を満たし易くすることができ、水の使用量をさらに削減することができる。
【００７２】
また、本変形例において、スラット２１０ａの中空部２１５に例えば上述したバイオボード（登録商標）などの材料を充填してもよい。ここで、充填すべき材料としては、スラット２１０ａを構成する保水材よりも浸水性の低い材料であることが好ましい。これにより、スラット２１０ａの中空部２１５における水の保水性を向上させることができる。この結果、スラット２１０ａの外側に付与した湿潤性を長い時間に亘って維持することができる。
【００７３】
さらには、本変形例において、スラット２１０ａの中空部２１５の上部に形成した開口と同様の開口を下部にも形成してもよい。この場合には、スラット２１０ａは、給水部２２０から供給された水がスラット２１０ａの内面２１１のほぼ全面に接触するように構成される。これにより、中空部２１５は貫通孔で構成されるので、スラット２１０ａを容易に製造することができる。また、蓋や保護管を製造する必要がないので、コストを低減することができる。
【００７４】
以上詳細に説明したように、第２の実施の形態及びその変形例によれば、ブラインドが備えるスラットは吸水性を有する。したがって、スラットが水を効率的に吸収することにより、スラットの少なくともその表面に湿潤性が付与される。その結果、周囲の暑熱環境を緩和する暑熱環境緩和効果を低コストで奏することができる。
【００７５】
また、ブラインドが縦型ブラインドであるので、スラットが雨水などの流下する水を吸収する場合にも流下する水の流下方向が変化しにくい。さらには、スラットの保水材は、スラットの表面に湿潤性を付与するために必要最小限度の水が吸水部２２０を介して給水されればよい。これにより、水の使用量を大幅に削減することができる。また、水の使用量を大幅に削減することができるので、水を再供給するほどの水が必要となることがない。このため、ポンプなどを配設するために必要なコストをなくすことができる。
【００７６】
次に、本発明の第３の実施の形態について説明する。
本実施の形態に係るブラインドも図１におけるブラインド１００に代えて、図１の建物１などに配設される。
【００７７】
図８は、第３の実施の形態に係るブラインドの外観を概略的に示す斜視図である。また、図９は、図８における線IX−IXに沿う断面図である。
【００７８】
図８に示すように、ブラインド３００は、水平方向に並置された複数の、例えば１２本のスラット３１０を備える横型ブラインドであって、さらに、該スラット３１０の端部側面に当接するように配置された給水部３２０と、給水部３２０に接続する水源３５０とを備える。
【００７９】
水源３５０は、建物１又はその近傍に設けられた貯水槽や建物１に設けられた雨樋などであり、給水部３２０に水を供給する。したがって、水源３５０は、給水部３２０よりも上方に配置し給水部３２０の上部と接続することによって、ポンプなどを配設する必要をなくすことができる。これにより低コストで水を効率的に供給することができる。
【００８０】
給水部３２０の長手方向の長さは、図１における枠体１１の鉛直方向の長さに一致する。また、図９に示すように、給水部３２０には、その内面３２１によって画成される通水孔と、当該通水孔に連通するノズルとが形成されている。ノズルは、給水部３２０の側面においてスラット３１０の端部側面に対面する位置に形成されており、孔面３２２によって画成される。
【００８１】
図８において、水源３５０から供給された水は、給水部３２０の通水孔を通過しており、該通水孔を通過する水の一部は、給水部３２０のノズルを介してスラット３１０の内部に注水される。このため、本実施の形態における給水部３２０がスラット３１０へ供給する水の水圧は、上記第２の実施の形態（図５）における給水部２２０がスラット２１０へ供給する水の水圧よりも高い方が好ましい。また、スラット３１０の端部側面が給水部３２０のノズルに当接するように配置されているので、給水部３２０のノズルから流出した水が確実に内部に注水される。
【００８２】
各スラット３１０は、単一材料から成る板状部材で構成され、その長手方向が水平方向と実質的に平行となるように配置されている。これにより、太陽光線などの上方からの光線の遮断を効率的に行うことができる。
【００８３】
また、スラット３１０は、その長手方向を軸として、不図示の支持部材によって回転可能に支持されている。スラット３１０を回転させると、スラット３１０は、上記通気を確保するための開放位置、又は上記光線を実質的に完全に遮断するための遮断位置に位置する。ここで、互いに隣接する一対のスラット３１０，３１０の双方が遮断位置にある場合には、それらの間に間隙が形成されることがない。一方、スラット３１０が開放位置にあるときには、スラット３１０の回転角度に応じて、隣接するスラット３１０との間に間隙が形成され、これにより、通気が確保される。したがって、スラット３１０は、その回転角度に応じて通気の風向きを調整又は規制する風向規制板としても機能する。なお、スラット３１０の回転角度を所定の部材により規制してもよく、これにより、スラット３１０が自由に回転するのを防止することができる。
【００８４】
次に、スラット３１０を構成する材料について説明する。
スラット３１０は、水を吸収する吸水性を有し、本実施の形態では、水を保持する保水性を有する保水材から成り、図９に示すように、内面３１１によって画成された中空部３１５を有する。この中空部３１５は、スラット３１０の孔面３２２に向かって開口している。したがって、給水部３２０から供給された水は、スラット３１０の中空部３１５に向かって直接的に流入し、やがて、中空部３１５全体に水が充満する。したがって、本実施の形態では、中空部３１５に充満した水がスラット３１０の吸水性により吸水され、さらにスラット３１０の浸水性（透水性）によりスラット３１０の内部を浸透することにより、スラット３１０の表面に湿潤性が付与される。また、スラット３１０は、雨水などに曝されることにより外面から水を吸収する。
【００８５】
また、中空部３１５に水が充満した後、給水部３２０から供給された水は、中空部３１５を循環して間接的に又は直接的に流下する。
【００８６】
スラット３１０を構成する保水材としては、多数の微細な孔（毛管）が形成された多孔質材料を用いることが好ましい。
【００８７】
このような多孔質材料としては、中空のチューブ状に成形したセラミック材料、例えば素焼きの土管であって、一端の開口を封止したものを用いることができる。このような素焼きの土管は、多孔質であるため、高い保水性を有する。素焼きの土管としては、外側表面に多数の溝（ストライプ）が長手方向に沿って形成されたストライプ土管（古川製陶有限会社製）を用いることが好ましい。ストライプを形成することにより、湿潤性が付与されるスラット３１０の外側表面の面積を拡大させることができる。
【００８８】
また、多孔質材料として、上述した株式会社ニッカトー製のセラミックチューブ、透水性のゴムをチューブ状に成形したもの、又は透水性のプラスチックをチューブ状に成形したものを用いてもよい。透水性のゴムとしては、例えばシヤチハタ株式会社製の刻印装置に用いられている耐油性ゴムを用いることが好ましい。
【００８９】
なお、スラット３１０は、チューブ状に成形したものに、同一材料で成形した蓋で一端の開口を覆うか、又は一端の側面から内孔用の保護管（挿入筒）を挿入することにより製造されることが好ましい。これにより、スラット３１０を容易に製造することができる。これに代えて、金型を用いた圧縮成形などの方法により直接的に製造してもよく、この場合には、蓋又は保護管を製造する手間を省略することができる。
【００９０】
なお、本実施の形態において、スラット３１０の一端側面に形成した開口と同様の開口を他端側面にも形成してもよい。この場合には、スラット３１０は、給水部３２０から供給された水がスラット３１０の内面３１１のほぼ全面に接触するように構成される。これにより、中空部３１５は貫通孔で構成されるので、スラット３１０を容易に製造することができる。また、蓋又は挿入筒を製造する必要がないので、コストを低減することができる。
【００９１】
また、本実施の形態において、スラット３１０の中空部３１５に例えば上述したバイオボード（登録商標）などの材料を充填してもよい。ここで、充填すべき材料としては、スラット３１０を構成する保水材よりも浸水性の低い材料であることが好ましい。これにより、スラット３１０の中空部３１５における水の保水性を向上させることができる。この結果、スラット３１０の外側に付与した湿潤性を長い時間に亘って維持することができる。
【００９２】
図１０は、図８におけるスラット３１０の第１の変形例を示す部分斜視図である。
図１０に示すスラット３１０ａは、図８及び図９のスラット３１０に代えて使用されるものであるが、スラット３１０と同様に、水を吸収する吸水性を有する。
【００９３】
このスラット３１０ａは、水を保持する保水性を有する保水材３１１と、水を拡散させる導水材３１２とから構成されている。ここで、保水材３１１の保水性は導水材３１２の保水性よりも高い。これにより、保水材３１１は導水材３１２よりも長い時間に亘って水を保持することが可能である。
【００９４】
保水材３１１は、図１０に示すように、中空部を有するように成形されており、保水材３１１内面と導水材３１２の外面とが互いに接触している。したがって、保水材３１１は、導水材３１２がその長手方向に拡散した水を保持することにより、スラット３１０ａ即ち保水材３１１の表面に湿潤性が付与される。
【００９５】
保水材３１１としては、上述した中空のチューブ状に成形したセラミック材料、例えば素焼きの土管を用いることができる。
【００９６】
導水材３１２は、保水材３１１の中空部に充填される。導水材３１２としては、シリカ（ＳｉＯ2）を主成分とするケイ砂などの砂を用いることが好ましい。より好ましくは、スラット３１０ａの長手方向の長さが長いほど小さい平均粒径及び透水係数の砂を選択的に用いる。また、ケイ砂に代えて、不織布、織布、細管、及び砂から選択された材料を導水材３１２として用いてもよい。さらには、不織布、織布、細管、及び砂から選択された２種類以上の材料を任意の割合で混合したものを導水材３１２として用いてもよい。
【００９７】
なお、本変形例では、保水材３１１の内面と導水材３１２の外面とを互いに接触させるために、保水材３１１の中空部に導水材３１２を充填したが、これに代えて、揚水材３１１２の外面を保水材３１１が包囲してもよい。すなわち、導水材３１２が揚水した水を保水材３１１が保持することができるように、導水材３１２が保水材３１１に当接していればよい。
【００９８】
図１１は、図８におけるスラット３１０の第２の変形例を示す部分斜視図である。
図１１に示すスラット３１０ｂは、図８及び図９のスラット３１０に代えて使用されるものである。スラット３１０と同様に、水を吸収する吸水性を有する。
【００９９】
このスラット３１０ｂは、スラット３１０と同様に、水を吸収する吸水性を有する板状部材３１５と、板状部材３１５の下面に内面３１６ａが当接するように当該板状部材３１５の長手方向に沿って配置された非吸水材３１６とから構成されている。
【０１００】
板状部材３１５は、吸水性を有する多孔質材料から構成されており、上述した多孔質材料のいずれかが用いられる。好ましくは、板状部材３１５は、水を鉛直方向上方に揚水する揚水性を有する揚水材、例えば上記バイオボード（登録商標）、又は不織布、織布、及び細管から選択された１種類以上の材料を金網で補強したものを用いる。
【０１０１】
非吸水材３１６の断面形状は、図１１に示すように、略Ｌ字形である。これにより、例えば雨水などの流下する水を内面３１６ａ上において効率的に貯蓄することができる。この貯蓄された水は、内面３１６ａに当接する板状部材３１５により直接的に吸収される。したがって、板状部材３１５は鉛直方向上方に水を揚水する揚水性を有する揚水材から構成されることが好ましい。
【０１０２】
なお、本変形例では、板状部材３１５を構成する材料は、揚水材であることが好ましいとしたが、これに代えて、水を保持する保水性を有する保水材、例えば上記シラスブロックであってもよい。
【０１０３】
また、本変形例において、非吸収材３１６の断面形状は、略Ｌ字形であるとしたが、好ましくは略コ字形（略凹字形）である。これにより、その内面に貯蓄される水が板状部材３１５の回転によりこぼれるのを防止することができる。また、本変形例における非吸水材３１６は、上述したスラット３１０やスラット３１０ａにも適用することができる。
【０１０４】
以上詳細に説明したように、第３の実施の形態並びにその第１及び第２変形例によれば、ブラインドが備えるスラットは吸水性を有する。したがって、スラットが水を効率的に吸収することにより、スラットの少なくともその表面に湿潤性が付与される。その結果、周囲の暑熱環境を緩和する暑熱環境緩和効果を低コストで奏することができる。
【０１０５】
また、スラットの保水材は、スラットの表面に湿潤性を付与するために必要最小限度の水が吸水部３２０を介して給水されればよい。これにより、水の使用量を大幅に削減することができる。また、水の使用量を大幅に削減することができるので、水を再供給するほどの水が必要となることがない。このため、ポンプなどを配設するために必要なコストをなくすことができる。
【０１０６】
なお、本明細書に記載のブラインドは、日除け、鎧戸、ルーバ（louver）、簾、カーテン、及びジャロジ（jalousie）などの総称であり、これらのいずれにも、上述した第１乃至第３の実施の形態に係るブラインドを適用することができる。
【０１０７】
また、ブラインドは、外壁１０の枠体１１に内嵌されるとしたが、これに限られることはない。
【０１０８】
具体的には、図１２に示すように、図２のブラインド１００の周囲に、例えば鋼鉄製の枠体１１ａを設けることにより、１つのブラインドアセンブリ２を構成して、これを任意の場所に配置することが可能である。なお、この場合には、ブラインド１００が備えるスラットの長手方向に垂直な方向に関する断面形状は、略矩形に限られることはなく、略円形、略楕円形、又は略三角形などであってもよく、通風状態に応じて適宜選択される。また、ブラインドアセンブリ２の構成要素であるブラインドは、図２のブラインド１００に限られることはなく、図５のブラインド２００、図７のブラインド２００ａ、又は図８のブラインド３００であってもよい。
【０１０９】
例えば、図１２のブラインドアセンブリ２は、屋外に配置される空調装置用の空調室外機の前方に配置することができる。これにより、ブラインドのスラット表面に付与した湿潤性を用いて、空調室外機から排気される温風を冷風に変換することができる。
【０１１０】
また、図１２のブラインドアセンブリ２を空調装置内部又はダクト部分の前方若しくは後方に配置することも可能である。これにより、ブラインドのスラット表面に付与した湿潤性を用いて、空調装置から排出される空気を加湿することができる。
【０１１１】
さらには、図１３に示すように、図２のブラインド１００を大型にしたブラインド１００ａや、図１２のブラインドアセンブリ２を立体駐車場などの建物３に配置してもよい。これにより、建物３の外観に意匠性を付与することができるだけでなく、自動車などの車両からの熱気を冷却することができる。この結果、ヒートアイランドを緩和することができる。
【０１１２】
上記ブラインド１００ａのスラットは、建物３の構造の一部をなすことが好ましい。これにより、外壁に用いる壁材の使用量を大幅に削減することができる。なお、スラットはその長手方向を軸として回転可能に構成されている必要はない。
【０１１３】
また、図１４に示すモニュメント４は、図１２のブラインドアセンブリ２を長尺化したブラインドアセンブリ５を支柱１０ａから放射状になるように複数個配置することにより構成されたものである。このモニュメント４は、公園を含む屋外遊技場などに配置され、日陰を提供すると共に防風する人工樹木として機能する。また、モニュメント４により、屋外遊技場の意匠性を向上させることができる。
【０１１４】
また、このモニュメント４では、ブラインドアセンブリ５が放射状になるように配置されているので、任意の方向からの通気に対して暑熱環境緩和効果を発揮して、その下流に、ユーザにとって快適な環境を提供することができる。
【０１１５】
なお、上述した第１乃至第３の実施の形態において、スラットは、鉛直方向又は水平方向と実質的に平行となるように配置されるとしたが、上述した効果を奏することができる範囲内で任意の方向に配置することが可能である。また、１つのブラインドが備えるスラットの本数は、１２本であるとしたが、１２本に限られることはなく、１本以上の任意の本数であればよい。
【０１１６】
また、ブラインドは、所定の収納場所、例えば外壁１０の枠体１１内の収納スペースに移動可能に構成されていることが好ましい。より好ましくは、スラットを支持する支持部材が所定方向に移動可能なスライダにより構成される。さらに好ましくは、収納時の複数のスラットが省スペースとなるようにブラインドは折りたたみ可能に構成される。このようにしてブラインドを収納することにより、光線の入射スペースや通気のスペースを容易に確保することができる。
【図面の簡単な説明】
【０１１７】
【図１】本発明の第１の実施の形態に係るブラインドが配設された建物の構成を概略的に示す正面図である。
【図２】図１におけるブラインドの外観を示す斜視図である。
【図３】図２における線III−IIIに沿う断面図である。
【図４】図２におけるスラットの変形例を示す部分斜視図である。
【図５】本発明の第２の実施の形態に係るブラインドの外観を概略的に示す斜視図である。
【図６】図５における線VI−VIに沿う断面図である。
【図７】図５におけるスラットの変形例を含むブラインドを示す断面図である。
【図８】本発明の第３の実施の形態に係るブラインドの外観を概略的に示す斜視図である。
【図９】図８における線IX−IXに沿う断面図である。
【図１０】図８におけるスラットの第１の変形例を示す部分斜視図である。
【図１１】図８におけるスラットの第２の変形例を示す部分斜視図である。
【図１２】図２のブラインドを含むブラインドアセンブリの外観を概略的に示す斜視図である。
【図１３】図１のブラインドと同様に構成されたブラインド及び図１２のブラインドアセンブリが配設された建物の外観を示す斜視図である。
【図１４】図１２のブラインドアセンブリと同様に構成されたブラインドアセンブリを含むモニュメントの外観を示す斜視図である。
【図１５】従来のブラインドの外観を示す斜視図である。
【符号の説明】
【０１１８】
１，３  建物                          ２，５  ブラインドアセンブリ
４  モニュメント                      １０  外壁
１１，１１ａ  枠体                    １００  ブラインド
１１０，１１０ａ  スラット            １１１  保水材
１１２  揚水材                        １２０  貯水部
２００，２００ａ  ブラインド          ２１０，２１０ａ  スラット
２２０  給水部                        ２５０  水源
３００  ブラインド                    ３１０，３１０ａ，３１０ｂ  スラット
３１１  保水材                        ３１２  導水材
３１５  板状部材                      ３１６  非吸水材
３２０  給水部                        ３５０  水源
【図１】
2008208563.tif 000003
【図３】
2008208563.tif 000004
【図４】
2008208563.tif 000005
【図５】
2008208563.tif 000006
【図６】
2008208563.tif 000007
【図７】
2008208563.tif 000008
【図８】
2008208563.tif 000009
【図９】
2008208563.tif 000010
【図１０】
2008208563.tif 000011
【図１１】
2008208563.tif 000012
【図１２】
2008208563.tif 000013
【図１３】
2008208563.tif 000014
【図１４】
2008208563.tif 000015
【図２】
2008208563.tif 000016
【図１５】
2008208563.tif 000017